(57)【特許請求の範囲】
【請求項１】
固定板の上下の位置に包帯引っ掛け軸の一端部を固定し、他端部を移動板で支承すると共に、該固定板、及び移動板の中間位置に穿設した貫通孔を介して包帯の一端部を装着して巻き込む二股巻取り軸を着脱自在に支承し、かつ移動板から突出した包帯引っ掛け軸にゴム製ストッパーを装着したことを特徴とする包帯巻器。
【請求項２】
請求項１において、ゴム製ストッパーを筒状に形成したことを特徴とする包帯巻器。
【請求項３】
請求項１又は２において、固定板を円板状に形成すると共に、移動板を円筒状に形成したことを特徴とする包帯巻器。
【発明の詳細な説明】
【技術分野】
【０００１】
本発明は、手で支持した状態で包帯を適度な固さで巻き取ることができ、かつコンパクトで携帯にも便利な包帯巻器に関するものである。
【背景技術】
【０００２】
従来、包帯を筒状に巻き取る際は、包帯の巻き取り幅を規制するために左右の側板を締結具、例えばネジで固定し、巻き取った包帯の幅を一定にする必要があり、しかも包帯を巻き取るハンドルの軸は１軸構造である。
【０００３】
さらに、従来のこの種、包帯巻器は、机等の一端部にネジ、或いは着脱容易な別途器具を使用して装着する構造であり、その上、より大型になる。
【発明の開示】
【発明が解決しようとする課題】
【０００４】
しかしながら、従来のこの種器具では、包帯を適度な固さに巻き取ることができず、しかも包帯の巻き取り幅を規制する側板がネジ等で固定されているため、巻き取った包帯を包帯巻器から取り出すにはネジ等の締結具を緩める必要があり、しかも再度、側板をハンドル軸に装着するにはネジ等を締める煩雑さもあり、包帯を病院やその他等で巻き取る際の作業が非能率となる課題があった。また、従来の包帯巻器は、器具を机等に固定して使用する構造のため、器具自体を机等に巻き取る包帯の数に関係なく装着せざるを得ない不便で、かつ携帯し難い課題があった。
【課題を解決するための手段】
【０００５】
本発明は、このような課題を解決するため、包帯を巻き取り、かつ包帯を巻き取るために回転するハンドルを一端部を一体に設けた二股巻取り軸と、二股巻取り軸の一端部をその中心部で支承した円板状の固定板と、二股巻取り軸の他端部をその中心部で支承した円筒状の移動板とを巻き取る包帯の幅に調整可能に対面して設け、また、固定板と移動板の中心からほぼ同じような上，下の位置に包帯引っ掛け軸の一端部を固定板に固設し、他端部を移動板に支承して装着し、さらに移動板の外側に突出した包帯引っ掛け軸に移動板のスライドを阻止する筒状のゴム製ストッパーを装着した構成としたことを特徴とする包帯巻器である。
【発明の効果】
【０００６】
本発明に係る包帯巻器によれば、包帯巻取り軸を中心に上、下の対応した位置に包帯引っ掛け軸を配設したため、包帯を巻き取る際、包帯が互いに擦れ合う摩擦力によって包帯を適度な固さで巻き取ることができる。
【０００７】
また、移動板は包帯引っ掛け軸の端部にスライド自由に支承した構造のため、巻き取る包帯の幅に応じて簡単に移動板をスライドすることにより巻き取られる包帯の幅を調整し、ゴム製スタッパーで移動板の幅を規制し所定の幅で包帯を巻き取ることができる。
しかも、１本の包帯の巻き取りが終了した際、
【０００８】
さらに、巻き取った包帯は、二股巻取り軸を移動板、固定板から引き抜くだけで包帯を容易に取り出すことができる。
【０００９】
二股巻取り軸は、軸を二股に構成し、包帯の巻き始め端部を挟み込むだけで確実に、かつ容易に巻き始めることができる。
【００１０】
包帯巻取器は、ゴム製ストッパー、固定板、移動板、包帯引っ掛け軸、及び二股巻取り軸の簡単でコンパクトな部品で構成し、かつ片手で移動板を持ち、片手で二股巻取り軸を回転させて包帯を巻き取ることができ、その上、着脱容易のため移動、例えば携帯も容易となる。
【発明を実施するための最良の形態】
【００１０】
以下に、本発明に係る包帯巻器の一実施例を示す図面を用いて詳細に説明する。図１は本発明に係る包帯巻器の断面図であり、図２は平面図であり、図３は包帯の巻き始める際の取り付け状態を示す説明斜視図であり、図４は包帯を巻き取っている途中の斜視図であり、図５は巻き取った包帯を取り出した際の包帯巻取器の各構成材を分解して示す説明斜視図である。
【００１１】
図に於いて、１はゴム製ストッパー、２は包帯引っ掛け軸、３は二股巻取り軸、４は移動板で円筒状に形成し、５は固定板で円板状に形成したものであり、６は包帯である。
【００１２】
ゴム製ストッパー１は筒状に形成すると共に、包帯引っ掛け軸２にその中心に設けた貫通孔を介してゴムの弾力で包帯引っ掛け軸２を支持して装着し、移動板４の外側にゴムの弾性で固定し、移動や着脱が簡単なように装着したものである。
【００１２】
包帯引っ掛け軸２は、一端部を固定板５の中心からほぼ等間隔の上，下の中間位置に固定板５に固定したものであり、包帯を巻き取る際の包帯引っ掛け軸２の二股巻取り軸３からの間隔を同じように設定して包帯が互いに擦れ合う際の摩擦力が釣り合って包帯６を巻き取った場合に包帯６が適度な固さで巻き取られるのに役立つ。
【００１３】
二股巻取り軸３は、所定間隔で配置した移動板４、固定板５の中心部で一端、他端を支承したものであり、二股巻き取り軸３の少なくとも末端から固定板５近傍までを二股にして包帯６の一端となる巻き始め部分を狭持して巻き取りずれ、はずれを無くするようにしたものであり、固定板５から外側に突出した端部には二股巻取り軸３を包帯６を巻き取るために回転するハンドルを有する。
【００１４】
移動板４は、包帯引っ掛け軸２の端部を円筒状の軸芯からほぼ同じような間隔で上、下の位置で着脱容易に装着し、軸心には二股巻取り軸３を貫通して着脱自在に支承する貫通孔を穿設し、巻き取る包帯６の幅に応じて引っ掛け軸２，二股巻取り軸３上をスライドできる装着としたものである。なお、移動板４の包帯引っ掛け軸２が突出した外側には、移動板４がスライドした際に移動板４を所定の位置で支持するためのゴム製ストッパー１を着脱自在に装着する。
【００１５】
固定板５は、中心部に貫通孔を設け、中心からほぼ等間隔の上、下の位置に包帯引っ掛け軸２の一端部を固定したものであり、包帯６の巻き取りの際の基準となる。
【００１６】
次ぎに、この包帯巻器の使用法を説明する。
まず、最初は包帯巻器が図２に示すように設定されているとする。そこで、巻き取るべき包帯６の幅を測定し、その幅にマッチした間隔に固定板５から移動板４を二股巻取り軸３上をスライドさせ、停止させる。なお、ゴム製ストッパー１はゴムの弾性下で移動板４と一緒に包帯引っ掛け軸２上をスライドさせる。
【００１７】
そこで、図３に示すように、例えば上の包帯引っ掛け軸２の外周と接触しながら下の包帯引っ掛け軸２外周と接触し、次ぎに包帯６の一端部（巻き始め）を二股巻取り軸３の二股部分へ差し込み包帯６の装着が完了する。次ぎに包帯巻器を手に持って図４に示すようにハンドルを矢印方向に回転して包帯６を巻き取る。なお、包帯６を巻き取っていく際、包帯６が互いに擦れ合う摩擦力によって適度な固さに巻き取られる。また、巻き取った包帯６を包帯巻取器から取り出すには、二股巻取り軸３を移動板４，固定板５の中間位置にある支承孔から引き抜けばよいものである。
【図面の簡単な説明】
【００１８】
【図１】本発明に係る包帯巻器の断面図である。
【図２】本発明に係る包帯巻器の平面図である。
【図３】本発明に係る包帯巻器に包帯の巻き始めの装着時を示す斜視図である。
【図４】本発明に係る包帯巻器で包帯を巻き取っている途中の説明斜視図である。
【図５】本発明に係る包帯巻器で巻いた包帯を取り出した際を示す説明図である。
【符号の説明】
【００１９】
１  ゴム製ストッパー
２  包帯引っ掛け軸
３  二股巻取り軸
４  移動板
５  固定板
６  包帯
【図１】
0004026043.tif 000002
【図２】
0004026043.tif 000003
【図３】
0004026043.tif 000004
【図４】
0004026043.tif 000005
【図５】
0004026043.tif 000006